(57)【要約】【課題】２液混合型エアゾール容器において、コストダウンを図りやすくする。【解決手段】外容器Ａは、上部カバー２に、口金３を介し、開閉弁機構４を取り付けられてなる。外容器Ａが内容器Ｂを収容している。開閉弁機構４が、ステム６と、ノズル７１を具備する操作体７とを備える。ステム６を押込み操作するとノズル７１が内部空間Ｓを連通し、ステム６が初期位置に復帰すると、ノズル７１が内部空間Ｓに対して遮断される。内容器Ｂが、ねじ部９３を備えかつ封鎖膜によって先端開口が閉塞された首部９１を有する。開閉弁機構４に内容器取付部５３と液通路５６とが備わっている。ステム６の下端に、内容器Ｂの封鎖膜を突き破るための先尖り状の破断作用部６８を形成する。【選択図】　　　　図２
2004059095.tif 000002
【特許請求の範囲】
【請求項１】
円筒状の有底胴体に上部カバーが取り付けられ、この上部カバーに、口金を介し、上記有底胴体と上記上部カバーとによって囲まれた内部空間に位置する開閉弁機構が取り付けられた外容器に、この外容器に蓄えられた第１液に混合される第２液を蓄えた内容器が収容されていて、
上記開閉弁機構が、上記口金の上方へ突出した操作部を有するステムと、上記操作部に装着されたノズルを具備する操作体とを備え
上記操作体を介して上記ステムが初期位置から押込み位置に押込み操作されることにより開いて上記ノズルに上記内部空間を連通させ、かつ、上記ステムが押込み位置から初期位置に復帰することにより閉じて上記ノズルを上記内部空間に対して遮断する吐出通路が上記ステムに備わり、そのステムが上記初期位置に向けて常時弾発付勢されてなる２液混合型エアゾール容器において、
上記内容器が、周囲にねじ部を備えかつ封鎖膜によって先端開口が閉塞された首部を有し、上記開閉弁機構に、上記ねじ部をねじ込むことによって内容器が装着された内容器取付部と、上記内容器の首部の先端開口から流出した第２液を上記外容器の内部に流入させる液通路とが備わり、
上記ステムの下端に、そのステムが初期位置に位置しているときに上記内容器取付部に装着された上記内容器の封鎖膜に対向し、かつ、そのステムが初期位置から押込み位置に押込み操作されることにより上記封鎖膜を突き破って上記首部の先端開口を開く破断作用部が備わっていることを特徴とする２液混合型エアゾール容器。
【請求項２】
上記内容器が、一体成形された上記首部と上記封鎖膜とを有する請求項１に記載した２液混合型エアゾール容器。
【請求項３】
上記破断作用部が、上記ステムの下端に先尖り状に形成されている請求項１又は請求項２に記載した２液混合型エアゾール容器。
【発明の詳細な説明】
【０００１】
【発明の属する技術分野】
本発明は、２液混合型エアゾール容器に関する。
【０００２】
【従来の技術】
実公昭６３−１２６０６２号公報（先行例１）に複数液混合用エアゾール装置についての記載があり、特開２００１−１７１７６２号公報（先行例２）に混合型エアゾール用容器についての記載がある。
【０００３】
先行例１のものでは、外容器内に、その外容器の内容物とは異なる収納物を充填した破壊可能なアンプル容器状の内容器が装着されている。また、外容器は、円筒状の有底胴体に上部カバーを取り付けることにより形成されていて、その上部カバーに、口金を介し、上記有底胴体と上記上部カバーとによって囲まれた内部空間に位置する開閉弁機構が取り付けられている。さらに、開閉弁機構は、口金の上方へ突出した操作部を有するステムを備えていて、ステムが初期位置から押込み位置に押込み操作されると、そのステムに備わっている吐出通路が開き、ステムが押込み位置から初期位置に復帰する吐出通路が閉じるようになっていると共に、ステムが初期位置に向けて常時弾発付勢されている。また、ステムの吐出通路には、外容器の底部に達する可撓性を備えた細管が連通されていて、上記吐出通路が開いたときには、外容器内の流体が上記細管を上昇して吐出通路に達し、その吐出通路の出口側に連通されたノズルから噴出するようになっている。
【０００４】
さらに、先行例１のものでは、開閉弁機構には、上記内容器を保持させておくための特殊構造のホルダーが取り付けられていて、ステムが初期位置から押込み位置に押込み操作されると、ホルダーに保持されている内容器が、ステムによって押し下げられた球状の破壊体によってばらばらに破断され、そのように内容器が破壊されることによって内容器の収納物が外容器の内容物に混合するようになっている。また、この先行例１のものでは、ばらばらに破断した内容器の破片が上記細管に流入して詰まらないようにするために、細管の下端開口にフィルターが装着されている。
【０００５】
一方、先行例２のものでは、外容器の上部に、押込み操作によって外容器内の流体を噴出する噴射ノズルが配備されているのに対し、外容器の内側下部に内容器を収容状態で配備し、その内容器に、内容器を突き破って内容器内の流体を外容器内に流出させるための破断部材が取り付けられている。したがって、先行例２の混合型エアゾール用容器では、外容器の上部に流体を噴出させるための操作用噴射ノズルを設け、外容器の下部に破断部材の操作手段を設けられていて、そのために外容器と内容器とが一般的には見られない特殊な構造を有している。また、先行例２のエアゾール用容器は、上下に振り分けて上記した噴射ノズルと破断部材の操作手段とが備わっているので、そのエアゾール容器自体が自立性を持たない。そのため、使用時あるいは保管時には、そのエアゾール容器に自立性を付与すると共に、当該噴射ノズルと破断部材の操作手段を保護し、それら両者を覆うためにキャップを装着することが不可欠である。
【０００６】
【発明が解決しようとする課題】
しかしながら、先行例１のものでは、内容器を保持させるための特殊構造のホルダーや、破壊されてばらばらになった内容器の破片が細管に流入しないようにするためのフィルターなどが余分に必要になり、そのために組立作業が煩雑になったり必要部品点数が増加したりしてコスト高になるという問題があった。
【０００７】
そのほか、先行例２のものでは、エアゾール容器が特殊構造を有しているため、容器の上部に開閉弁機構などが取付け可能な口金を有する一般的なエアゾール容器を外容器として使用することはできず、また外容器や内容器の内容物の混合割合或いはその内容量に合わせて特殊な外容器と内容器を新たに作らなければならず、汎用性に欠けるものである。
また、破断部材の操作手段を保護ならびにこのエアゾール容器の自立性を付与するために、破断部材側のキャップが余分に必要となってそれだけコスト高になるという問題があった。
【０００８】
本発明は、以上の問題点に鑑みてなされたものであり、第１液を蓄える外容器や第２液を蓄える内容器として、汎用的な構造を持つ安価で入手が容易な容器を用いることが可能で、必要に応じて様々なサイズを提供することのできる２液混合型エアゾール容器を提供することを目的とする。
【０００９】
また、本発明は、内容器を外容器に収容させる作業を簡単にかつ容易に行うことのできる２液混合型エアゾール容器を提供することを目的とする。
【００１０】
さらに、本発明は、第２液を内容器から流出させて外容器に蓄えられている第１液に混合させるときに、内容器の破片が外容器内に散らばるという事態をなくすることによって、その破片が冒頭で説明した細管などに詰まるという事態の起こる余地を無くすることができ、しかも、第２液を内容器から流出させやすい２液混合型エアゾール容器を提供することを目的とする。
【００１１】
さらに、本発明は、流体を噴出させる際に操作される開閉弁機構の内容器取付部に、内容器に具備させたねじ部をねじ込むだけでその内容器を開閉弁機構に装着することができ、しかも、内容器取付部にねじ込み可能な内容器のねじ部のサイズを１種類に定めたとしても、内容器の容量を増減変更することが容易になる２液混合型エアゾール容器を提供することを目的とする。
【００１２】
さらに、本発明は、エアゾール容器自体に自立性を持たせることを容易にすることによって、エアゾール容器に自立性を持たせるためにキャップを別途用いる必要のない２液混合型エアゾール容器を提供することを目的とする。
【００１３】
【課題を解決するための手段】
本発明に係る２液混合型エアゾール容器は、円筒状の有底胴体に上部カバーが取り付けられ、この上部カバーに、口金を介し、上記有底胴体と上記上部カバーとによって囲まれた内部空間に位置する開閉弁機構が取り付けられた外容器に、この外容器に蓄えられた第１液に混合される第２液を蓄えた内容器が収容されていて、上記開閉弁機構が、上記口金の上方へ突出した操作部を有するステムと、上記操作部に装着されたノズルを具備する操作体とを備え、上記操作体を介して上記ステムが初期位置から押込み位置に押込み操作されることにより開いて上記ノズルに上記内部空間を連通させ、かつ、上記ステムが押込み位置から初期位置に復帰することにより閉じて上記ノズルを上記内部空間に対して遮断する吐出通路が上記ステムに備わり、そのステムが上記初期位置に向けて常時弾発付勢されている。
【００１４】
さらに、上記内容器が、周囲にねじ部を備えかつ封鎖膜によって先端開口が閉塞された首部を有し、上記開閉弁機構に、上記ねじ部をねじ込むことによって内容器が装着された内容器取付部と、上記内容器の首部の先端開口から流出した第２液を上記外容器の内部に流入させる液通路とが備わり、上記ステムの下端に、そのステムが初期位置に位置しているときに上記内容器取付部に装着された上記内容器の封鎖膜に対向し、かつ、そのステムが初期位置から押込み位置に押込み操作されることにより上記封鎖膜を突き破って上記首部の先端開口を開く破断作用部が備わっている。
【００１５】
この発明の２液混合型エアゾール容器によれば、内容器に具備されている首部のねじ部を、開閉弁機構の内容器取付部にねじ込むだけで内容器を開閉弁機構に装着することができるので、そのようにして内容器を装着した開閉弁機構を、口金を介して上部カバーに取り付けるだけの簡単な作業で内容器を外容器に収容させることが可能になる。
【００１６】
また、当該２液混合型エアゾール容器は、円筒状の有底胴体に上部カバーが取り付けられ、その上部カバーに口金を介し開閉弁機構が取り付けられた構成の外容器を備えており、この構造の外容器は、安価で入手が容易な汎用的なエアゾール容器の容器本体と同じ構造を備えたものである。また、内容器は、周囲にねじ部を備えかつ封鎖膜によって先端開口が閉塞された首部を有していて、この構造は、樹脂チューブやメタルチューブとして汎用されている安価で入手が容易な容器に備わっている構造である。したがって、外容器や内容器に汎用的な構造を持つ安価で入手が容易な容器を用いることが可能になる。そのため、必要に応じて様々なサイズの２液混合型エアゾール容器を安価に提供することが可能になる。その上、内容器として採用することのできる樹脂チューブやメタルチューブは、首部に備わっているねじ部のサイズが一定であっても、内容物を収容するチューブ部分の長さが異なると内容量も異なるので、そのねじ部がねじ合わされる開閉弁機構の上記内容器取付部のサイズを１種類にして内容器の容量を増減変更することができるようになる。このことにより、開閉弁機構の種類を１種類に限定して２液混合型エアゾール容器の製作コストを低減しても、様々な容量の２液混合型エアゾール容器を必要に応じて提供することが可能になるという利便がある。
【００１７】
さらに、開閉弁機構に具備されているステムの下端に具備された破断作用部によって内容器の首部の封鎖膜を突き破り、それによって首部の先端開口が開かれるようになっているので、第２液を内容器から流出させて外容器に蓄えられている第１液に混合させるときに、内容器の破片が外容器内に散らばるという事態が起こらず、そのために、内容器の破片が冒頭で説明した細管などに詰まるという事態の起こる余地が無くなって先行例１に用いられているフィルターを用いる必要がなくなる。その上、ステムが初期位置に向けて常時弾発付勢されているため、操作体を介してステムを押込み操作することにより上記封鎖膜を突き破った後その操作力を開放するだけで、ステムが初期位置に自然に復帰して内容器の首部の先端開口が開く。そのため、内容器の首部の封鎖膜にステムの破断作用部が突き刺さったままになって首部の先端開口が破断作用部によって塞がれるということ自体が起こらず、第２液を内容器から流出させやすくなる。
【００１８】
さらに、有底胴体の上部カバーに口金を介して開閉弁機構が取り付けられていて、その開閉弁機構の操作体を操作するだけで、内容器の首部の開口を開く作用と、ノズルに上記内部空間を連通させるための吐出通路の開き作用とが行われるので、外容器の円筒状の有底胴体の下部に自立性を損なう凹凸形状を具備させる必要がない。そのため、エアゾール容器自体に自立性を持たせることが容易になる。
【００１９】
本発明では、上記内容器が、一体成形された上記首部と上記封鎖膜とを有することが望ましい。また、上記破断作用部が、上記ステムの下端に先尖り状に形成されていると、その破断作用部で内容器の首部の閉鎖膜を突き破らせるために必要な力が少なくて済むので、それだけ使い勝手が向上する。
【００２０】
【発明の実施の形態】
図１は本発明に係る２液混合型エアゾール容器の実施形態を示した縦断側面図、図２は図１の要部を拡大した断面図、図３は作用を説明するための断面図である。
【００２１】
図１を参照して２液混合型エアゾール容器の基本構成を説明する。Ａは外容器である。外容器Ａは、円筒状の有底胴体１にドーム状の上部カバー２を取り付け、上部カバー２の中央部に備わっている開口に、開閉弁機構４を取り付けた口金３を挿入してその口金３の外周部と上部カバー２の内周部とを結合してなる。そして、開閉弁機構４が有底胴体１と上部カバー２とによって囲まれた内部空間Ｓに位置している。そして、この外容器Ａに第１液（不図示）が蓄えられている。
【００２２】
図２に拡大して示したように、開閉弁機構４は、筐体５とステム６と操作体７と細管８とを備えている。
【００２３】
筐体５は、弁室５１とその弁室５１に連通する入口通路５２とを備えている。弁室５１に配備されているステム６は、筐体５に形成されたステム挿通孔５７に挿通されていると共に、筐体５の上端で開放している弁室５１から口金３の上方へ突出された操作部６１を有していて、この操作部６１に上記操作体７が結合されている。また、ステム６は、上記弁室５１内に位置する径大部６２と、この径大部６２と操作部６１との境界部分に形成された括れ部６３と、括れ部６３の外周面と上記操作部６１の上端面とで開口している吐出通路６４とを有し、その吐出通路６４の括れ部６３側の開口６５を開閉するためのパッキン６６が弁室５１の上部に配備されている。さらに、ステム６が、弁室５１に配備されたコイルばねでなるばね体６７によって常時上向きに弾発付勢されている。そして、上記径大部６２が、口金３の内周部に重なり合っている上記パッキン６６に当接することによってステム６の上限位置である初期位置が規制される。このステム６が初期位置に位置していると、吐出通路６４の括れ部６３側の開口６５がパッキン６６によって密閉され、他方ステム６が初期位置からばね体６７の付勢に抗して押し下げられると、上記開口６５がパッキン６６との対向位置よりも下方に下がって開き、弁室５１の空間に臨むようになっている。こうして開口６５が弁室５１の空間に臨むときのステム６の位置がステム６の押込み位置である。
【００２４】
操作体７はノズル７１を有し、このノズル７１がステム６の上記吐出通路６４に連通されている。図例では、操作体７の上面を手の指で押すことにより、ばね体６７の付勢に抗してステム６を初期位置からその下方の押込み位置へ押し込むことができるようになっている。
【００２５】
細管８は筐体５の入口通路５２に連通されて下方に延び出し、図１のようにその下端開口８１が外容器Ａの底部付近に位置している。
【００２６】
以上説明した基本構成において、操作体７を手の指で押し下げてステム６をばね体６７の付勢に抗して初期位置から押込み位置まで押込み操作すると、吐出通路６４の括れ部６３側の開口６５がパッキン６６との対向位置よりも下方に下がって開くので、細管８の内部通路、筐体の入口通路５２及び弁室５１、ステム６の吐出通路６４を介して、操作体７のノズル７１に上記内部空間Ｓが連通される。また、操作体７から手の指を離すと、ばね体６７の付勢によりステム６が押込み位置から初期位置に復帰するので、吐出通路６４の括れ部６３側の開口６５がパッキン６６に臨んでその開口がパッキン６６によって閉じられ、ノズル７１が内部空間Ｓに対して遮断される。
【００２７】
次に、実施形態による２液混合型エアゾール容器の特徴構成を説明する。
【００２８】
図１のように、外容器Ａには内容器Ｂが収容されていて、この内容器Ｂに、外容器Ａに蓄えられた第１液に混合される第２液が蓄えられている。
【００２９】
図２に示したように、筐体５は、ねじ孔５４を有する内容器取付部５３と、この内容器取付部５３に具備された液通路５６とを備え、この液通路５６が内容器取付部５３の上部に形成された空所５５を含んでいる。また、ステム６の下端は、先尖り状の破断作用部６８として形成されていて、筐体５のステム挿通孔５７を挿通して上記空所５５に突出されている。
【００３０】
内容器Ｂは、一端に円筒状の首部９１を有する中空のチューブでなり、その下端開口が、チューブ壁を偏平形状に巻回することによって形成された封止部９２によって封止されていると共に、首部９１にはその周囲にねじ部９３が備わり、かつ、首部９１の先端開口が封鎖膜（図１に現れていない）によって閉塞されている。この内容器Ｂは、一般的にメタルチューブとして汎用されている安価で入手の容易な容器が使用されていて、それらの容器では、上記封鎖膜が首部９１に一体成形されている。また、首部９１は、そのねじ部９３を上記筐体５の内容器取付部５３のねじ孔５４にねじ込んで接続することが可能であり、そのようにして首部９１をねじ孔５４に接続することによって内容器Ｂが開閉弁機構４に装着されている。なお、上記内容器Ｂは樹脂チューブで形成することも可能であるが、その場合上記封止部９２は、チューブ壁を熱溶着などによって封止するものである。
【００３１】
内容器Ｂを開閉弁機構４に装着した状態において、ステム６が図２のように初期位置に位置しているときには、内容器Ｂの封鎖膜にステム６の先尖り状の破断作用部６８が対向する。これに対し、図３の矢印のようにステム６が初期位置から押込み位置に押込み操作されると、破断作用部６８が封鎖膜９４を突き破り、それによって内容器Ｂの首部９１の先端開口が開くようになっている。
【００３２】
この実施形態の２液混合型エアゾール容器では、操作体７を手の指で押し下げることにより、ステム６を抗して初期位置から押し下げるという押込み操作を行うことによって、図３のようにステム６の破断作用部６８の内容器Ｂの封鎖膜９４を突き破ることができ、封鎖膜９４を突き破った後でその押込み操作を止めると、ステム６がばね体６７の付勢により初期位置に復帰して破断作用部６８が首部９１の上方へ退避する。これにより内容器Ｂの首部９１の先端開口が開く。この後、当該エアゾール容器を振ったり揺り動かしたりして内容器Ｂの首部９１の先端開口から第２液を流出させると、その第２液が筐体５の液通路５６を通った後、外容器Ａの中に入って第１液と混合する。
なお、封鎖膜９４を突き破る時、第１液が出てしまうという心配があるが、ステム６をばね体６７の付勢に抗して初期位置から押込み位置まで１回押込み操作するだけで簡単に封鎖膜９４を開けることが出来るので、その操作１回で噴出する量はわずかであり、第１液と第２液の混合比率に大きく影響を及ぼすほどの量ではない。
【００３３】
こうして、第１液に第２液を混合させた後に、再び操作体７を手の指で押し下げることによりステム６を押込み位置まで押し込むと、吐出通路６４の括れ部６３側の開口６５が開き、細管８の内部通路、筐体の入口通路５２及び弁室５１、ステム６の吐出通路６４を介して、操作体７のノズル７１に上記内部空間Ｓが連通されるため、外容器Ａにあらかじめ蓄えられている内圧に押された混合液がノズル７１から噴出する。第１液と第２液との組合せには、混合することにより発泡する樹脂原液と発泡剤との組合せや、ポリオールとポリイソシアネートのような反応型塗料などに採用することが可能である。
【００３４】
実施形態の２液混合型エアゾール容器によると、外容器Ａには、安価で入手が容易な汎用的なエアゾール容器の開閉弁機構４を上述した構造のものに取り替えたものを用い、内容器Ｂに樹脂チューブやメタルチューブとして汎用されている安価で入手が容易な容器を用いたので、それらの外容器Ａや内容器Ｂを安価に入手することができた。また、様々なサイズの２液混合型エアゾール容器を安価に得ることができた。その上、首部に備わっているねじ部のサイズが一定である樹脂チューブやメタルチューブのうち、長さだけが異なるものを用いることが可能になり、そうすることによって、開閉弁機構４の内容器取付部５３のサイズを１種類にして内容器の容量を増減変更することができるようになった。
【００３５】
また、第２液を内容器Ｂから流出させて外容器Ａの第１液に混合させるときに、内容器Ｂの破片が外容器Ａ内に散らばらないので、細管８の下端開口８１にフィルターを用いる必要がなくなった。さらに、内容器Ｂの首部９１の先端開口をほぼ全開して第２液を流出させることができるため、エアゾール容器を振ったりして第１液に第２液を混合するときの作業を楽に行うことができるようになった。また、エアゾール容器自体にもともと自立性が備わっているので、そのエアゾール容器を起立姿勢に立てて保管することが可能になった。
【００３６】
ところで、上記実施形態では、図２のように、ステム６の先尖り状の破断作用部６８が封鎖膜９４を突き破る時、第１液が出てしまうという心配があるが、外容器Ａの第１液がノズル７１から無駄に放出される事態を回避することは可能である。すなわち、ステム６の破断作用部６８の押し込みを２段階に形成し、第１段階目では封鎖膜９４を破るだけで、入口通路５２の出口をふさいだ状態にして第１液が出ないようにしておき、次にステム６の破断作用部６８を完全に押し込むことによって、吐出通路６４の開口６５を開口させ、入口通路５２と吐出通路６４の開口６５とを連通させる。その結果、封鎖膜９４を破っても、入口通路５２の出口をふさいだ状態であるから、内容器Ｂに収容されている第２液を外容器Ａに収容されている第１液に混合する前には、外容器Ａの第１液がノズル７１から無駄に放出される事態を回避することは可能である。
たとえば、他の実施形態の要部を拡大した断面図である図４に示す如く、ステム６の括れ部６３を長くし、かつ、パッキン６６の肉厚を厚くすると共に、開閉弁機構４に装着された内容器Ｂの封鎖膜９４と、該封鎖膜９４に対するステム６の先尖り状の破断作用部６８との対向距離を、ステム６が初期位置から押込み位置まで押し込まれて括れ部６３側の開口６５がパッキン６６との対向位置よりも下方に下がるまでのステム押込み長さよりも短く形成する。かかる構成とすることにより、ステム６が初期位置から押し込まれた場合に、そのステム６が押込み位置に到達して開口６５が開くよりも前に、破断作用部６８が内容器Ｂの封鎖膜９４を突き破るようになるので、開口６５を介して操作体７のノズル７１に外容器Ａの内部空間Ｓを連通させることなく、内容器Ｂの封鎖膜９４を突き破ってその先端開口を開くことが可能になる。
【００３７】
したがって、この他の実施形態の２液混合型エアゾール容器によると、操作体７に対する最初の段階の押込み操作によって、ステム６を初期位置から押込み位置の手前まで押し込むことにより破断作用部６８で内容器Ｂの封鎖膜９４を突き破り、次に、ステム６をばね体６７の付勢により初期位置に復帰させることにより内容器Ｂの先端開口を開き、この後、内容器Ｂの第２液を外容器Ａに流出させて第１液と混合し、次の段階の操作体７の押込み操作によってステム６を押込み位置まで押し込むと、吐出通路６４の括れ部６３側の開口６５が開いて混合液がノズル７１から噴出することになる。これにより、外容器Ａの第１液がノズル７１から無駄に放出されることがなくなる。
【００３８】
なお、上記実施形態において、内容器Ｂの中に、その形状を球状よりも角を形成した歪な形状のパチンコ玉のような金属玉やガラス玉を入れておくと、当該エアゾール容器を振とうしたり揺り動かしたりするとき、この玉が内容器Ｂ内を動いて第１液と第２液とを混合する際に内容器Ｂから第２液が出やすくなるという利点がある。
また、外容器Ａの中にパチンコ玉のような金属玉やガラス玉を入れておくと、当該エアゾール容器を振とうしたり揺り動かしたりして第１液と第２液とを混合する際に内容器Ｂから出た第２液が第１液と混ざりやすい。また、誤操作によって内容器Ｂの首部の封鎖膜が破られないようにするために、操作体７を覆う保護キャップを外容器Ａに装着することができるようにしておくことが望ましい。
【００３９】
【発明の効果】
以上のように、本発明によれば、外容器や内容器の価格を抑えてエアゾール容器全体のコストダウンを図りやすくすることができ、しかも、フィルターなどの余分な部品を用いずにその組立を簡単にかつ容易に行うことができるという効果が奏される。また、開閉弁機構の内容器取付部に、内容器の首部のねじ部をねじ込むだけでその内容器を開閉弁機構に装着することができ、しかも、内容器取付部にねじ込み可能な内容器のねじ部のサイズを１種類に定めたとしても、内容器の容量を増減変更することが容易になる。さらに、エアゾール容器に自立性を持たせるためにキャップを別途用いる必要がなくなる。
【図面の簡単な説明】
【図１】本発明に係る２液混合型エアゾール容器の実施形態を示した縦断側面図である。
【図２】図１の要部を拡大した断面図である。
【図３】作用を説明するための断面図である。
【図４】他の実施形態の要部を拡大した断面図である。
【符号の説明】
Ａ　外容器
Ｂ　内容器
Ｓ　内部空間
１　有底胴体
２　上部カバー
３　口金
４　開閉弁機構
６　ステム
７　操作体
５３　内容器取付部
５６　液通路
６１　操作部
６４　吐出通路
６８　破断作用部
７１　ノズル
９１　首部
９３　ねじ部
９４　封鎖膜
【図１】
2004059095.tif 000003
【図２】
2004059095.tif 000004
【図３】
2004059095.tif 000005
【図４】
2004059095.tif 000006